(57)【特許請求の範囲】
【請求項１】
充電装置による充電が可能なバッテリと、
該バッテリの温度を検出する温度センサと、
前記充電装置による前記バッテリの充電状態を制御可能な充電制御部と、
各種のアプリケーションの実行及び停止を制御可能なアプリケーション機能制御部と、
を有し、
前記充電制御部は、
前記温度センサにより検出された温度が第１の閾値以上の場合であり、かつ、前記アプリケーション機能制御部により第１のアプリケーションが選択されたときには、前記バッテリへの充電を停止し、前記第１のアプリケーションを実行し、
前記温度センサにより検出された温度が第１の閾値未満の場合であり、かつ、前記アプリケーション機能制御部により第１のアプリケーションが選択されたときには、前記バッテリへの充電を継続し、前記第１のアプリケーションを実行する、
携帯電子機器。
【請求項２】
前記充電制御部は、
前記温度センサにより検出された温度が第１の閾値以上の場合であり、かつ、前記アプリケーション機能制御部により前記第１のアプリケーションとは異なる第２のアプリケーションが選択されたときには、前記バッテリへの充電を継続する
請求項１に記載の携帯電子機器。
【請求項３】
選択された前記アプリケーションに応じた画像情報を表示可能な表示部と、
無線通信が可能な無線通信部と、を有し、
前記第１のアプリケーション機能は、通話機能、ウエブサイトの閲覧機能、テレビジョン機能のいずれかであり、
前記第２のアプリケーション機能は、電子メール機能、音楽再生機能のいずれかである
請求項２に記載の携帯電子機器。
【請求項４】
前記制御部は、前記温度センサが検出した温度が前記第１の閾値よりも高い第２の閾値以上である場合には、動作クロックを低くするようにクロック制御を行う
請求項１〜３いずれか１項に記載の携帯電子機器。
【請求項５】
前記制御部は、前記温度センサが検出した温度が前記第１の閾値よりも高い第３の閾値以上である場合には、表示部及び操作部の照光レベルを下げる照光制御を行う
請求項１〜４いずれか１項に記載の携帯電子機器。
【請求項６】
前記バッテリが装着されていない場合には、前記温度センサは筐体内の温度を検出する
請求項１〜５いずれか１項に記載の携帯電子機器。
【請求項７】
表示部及び操作部の使用状況に応じて、充電制御を制御する
請求項１〜６いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、バッテリ充電の実行及び停止を制御する充電制御部と、筐体の内部の温度を検出する温度センサとを具備し、充電制御部を温度センサにより検出された温度に基づいてバッテリの充電電流を調整する携帯電子機器が開示されている。
【先行技術文献】
【特許文献】
【０００３】
【特許文献１】特開２００６―２０３９８０号公報
【発明の概要】
【発明が解決しようとする課題】
【０００４】
しかしながら、携帯電子機器の筐体内部の温度上昇の原因はバッテリへの充電だけではなく、携帯電子機器の各種機能を使用することによっても発生する。そうすると、引用文献１に記載のバッテリの充電電流を調整するだけでは携帯電子機器のバッテリ部分の温度上昇を防ぐのに十分ではない場合がある。
【０００５】
本発明の目的は、各種機能を使用しつつバッテリの温度上昇を抑制可能な携帯電子機器を提供することである。
【課題を解決するための手段】
【０００６】
本発明の携帯電子機器は、充電装置による充電が可能なバッテリと、該バッテリの温度を検出する温度センサと、前記充電装置による前記バッテリの充電状態を制御可能な充電制御部と、各種のアプリケーションの実行及び停止を制御可能なアプリケーション機能制御部と、を有し、前記充電制御部は、前記温度センサにより検出された温度が第１の閾値以上の場合であり、かつ、前記アプリケーション機能制御部により第１のアプリケーションが選択されたときには、前記バッテリへの充電を停止し、前記第１のアプリケーションを実行し、前記温度センサにより検出された温度が第１の閾値未満の場合であり、かつ、前記アプリケーション機能制御部により第１のアプリケーションが選択されたときには、前記バッテリへの充電を継続し、前記第１のアプリケーションを実行する。
【０００７】
前記充電制御部は、前記温度センサにより検出された温度が第１の閾値以上の場合であり、かつ、前記アプリケーション機能制御部により前記第１のアプリケーションとは異なる第２のアプリケーションが選択されたときには、前記バッテリへの充電を継続する。
【０００８】
好適には、選択された前記アプリケーションに応じた画像情報を表示可能な表示部と、無線通信が可能な無線通信部と、を有し、前記第１のアプリケーション機能は、通話機能、ウエブサイトの閲覧機能、テレビジョン機能のいずれかであり、前記第２のアプリケーション機能は、電子メール機能、音楽再生機能のいずれかである。
【０００９】
好適には、前記制御部は、前記温度センサが検出した温度が前記第１の閾値よりも高い第２の閾値以上である場合には、動作クロックを低くするようにクロック制御を行う。
【００１０】
好適には、前記制御部は、前記温度センサが検出した温度が前記第１の閾値よりも高い第３の閾値以上である場合には、表示部及び操作部の照光レベルを下げる照光制御を行う。
【００１１】
好適には、前記バッテリが装着されていない場合には、前記温度センサは筐体内の温度を検出する。
【００１２】
好適には、表示部及び操作部の使用状況に応じて、充電制御を制御する。
【発明の効果】
【００１３】
本発明によると、各種機能を使用しつつバッテリの温度上昇を抑制可能な携帯電子機器を提供することができる。
【図面の簡単な説明】
【００１４】
【図１】本発明の実施形態に係る携帯電話機の外観を開状態で示す斜視図である。
【図２】図１のＩＩ−ＩＩにおける断面図である。
【図３】図１及び図２の携帯電話機の信号処理系を示すブロック図である。
【図４】ＣＩＡＪ（Communications Industries Association of Japan）により勧告されたリチウムイオン電池の充電方式の説明図である。
【図５】電源制御部の回路構成の説明図である。
【図６】本発明の実施態様における処理のフローを説明するフローチャートである。
【図７】第１の変形例における処理のフローを説明するフローチャートである。
【図８】第２の変形例における処理のフローを説明するフローチャートである。
【図９】バッテリの温度が低下した時の処理のフローを説明するフローチャートである。
【発明を実施するための形態】
【００１５】
図１は、本発明の実施形態に係る携帯電話機１の外観を開状態で示す斜視図である。
【００１６】
携帯電話機１は、折り畳み式として構成されている。
携帯電話機１は第１筐体２及び第２筐体３とで構成されている。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１７】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１８】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００１９】
また、図１のように、第２筐体フロントケース６の表面方向には、入力部１０が配置されている。この入力部１０をユーザが操作することによって、携帯電話機１に命令の入力、文字の入力等がなされる。
【００２０】
図２は、図１のＩＩ−ＩＩにおける断面図である。
【００２１】
第２筐体フロントケース６と第２筐体リアケース７とが、その内面どうしを対向させて結合している。
そして、それによって形成される内部空間に、内部筐体２０が配置されている。内部筐体２０の裏面方向には、バッテリ収納部２８が形成されている。
そして、このバッテリ収納部２８に着脱可能なバッテリ２２が配置されている。このバッテリ２２は携帯電話機１に電力を供給している。
さらに、裏面方向には、バッテリ２２を交換可能とするためにバッテリカバー２３が配置されている。
【００２２】
バッテリ２２は、充電装置７０と電気的に連結されることによって充電が行われる。
そして、バッテリ２２は充電装置７０が連結されていない場合に携帯電話機１に実装されている各種の電子部品に電力を供給し、稼働させる。
【００２３】
内部筐体２０の、表面方向には、スイッチ２６が実装されるプリント基板２１が配置されている。このプリント基板２１は、発光部２７が実装されている。
発光部２７は、例えば、ＬＥＤ（Light Emitting Diode:発光ダイオード）によって構成されている。
【００２４】
スイッチ２６は、例えば、固定接点２５と、ドーム状の板金であるメタルドーム２４により構成されている。
【００２５】
プリント基板２１の表面方向にはキーシート３２が配置されている。キーシート３２はユーザが押圧を行う部分である複数のキートップ３０と、前記複数のキートップ３０が接着されるラバーベース３１から成っている。
【００２６】
第２筐体フロントケース６には、キートップ３０が挿入（配設）されるための複数のキー開口部３５が形成されている。
このキー開口部３５の周辺には第２筐体フロントケース６を保護する目的、及び、携帯電話機１の意匠性を向上させる目的を有する装飾シート３４が張り付けられる。
【００２７】
キーシート３２とプリント基板２１のスイッチ２６との間には、導光シート３３が配置されている。
この導光シート３３は、発光部２７からの光を受光し、導光してキートップ３０側に光を照射する。
【００２８】
バッテリ２２の内部側位置には温度センサ５４が配置される。
温度センサ５４は、バッテリ２２がバッテリ収納部２８に収納されている時にはバッテリ２２の温度を検出する。
そして、温度センサ５４は、バッテリ２２取り外されている時には、第２筐体３の内部の温度を検出する。
【００２９】
図３は、図１及び図２の携帯電話機１の信号処理系を示すブロック図である。
【００３０】
図３に示されるように、携帯電話機１は、制御・処理の中枢である制御部５７と、無線通信部５１と、操作部５２と、音声入出力部５３と、記憶部５６と、表示部８と、温度センサ５４と、テレビ受信部７６、音楽再生部７７とのそれぞれが、アドレス、データ、コントロールのためのラインが複数本からなるシステムバス５８に共通に接続され、構成される。
また、携帯電話機１の内部の各種機器は、バッテリ２２によって電力が共有されて駆動される。
【００３１】
テレビジョン受信部７６は、テレビジョン放送の電波を受信して制御部５７に情報信号として出力する。
【００３２】
音楽再生部７７は、記憶部５６が記憶している音楽情報を再生する。
【００３３】
無線通信部５１は、無線通信システムを捕捉し、通信ネットワークに接続される基地局との間で無線通信を行い、各種データの送受信を行う。各種データとは、Ｗｅｂ上のダウンロードサイトのからダウンロードされるファイルのデータ、音声通話時の音声データ、メール送受信時のメールデータ、ウェブ閲覧時のウェブページデータ、等である。
【００３４】
操作部５２は、入力部１０及びその他の部分から入力されるユーザの指示を受け付ける。
入力部１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部５７に出力する。
【００３５】
音声入出力部５３は、スピーカから出力される音声信号やマイクロフォンにおいて入力される音声信号の入出力処理を行う。
【００３６】
表示部８は、例えばＬＣＤやＯＬＥＤを用いて構成されており、制御部５７から供給される映像信号に応じた画像を表示する。
表示部８は、例えば、無線通信部５１による無線発信時における発信先の電話番号、着信時における発信元の電話番号、受信メールや送信メールの内容、日付、時刻、電池残量、発信成否、待ち受け画面等を表示する。
【００３７】
記憶部５６では、携帯電話機１の各種処理に利用される各種データを記憶する。記憶部５６は、例えば制御部５７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
【００３８】
温度センサ５４は、バッテリ２２がバッテリ収納部２８に収納されている時にはバッテリ２２の温度を検出する。そして、温度センサ５４は、バッテリ２２取り外されている時には、第２筐体３の内部の温度を検出する。
【００３９】
制御部５７は、携帯電話機１の総合的な制御を行っている部分である。
この制御部５７は、クロック制御部５９、照光制御部５５、アプリケーション機能制御部７５、電源制御部５０から構成される。
【００４０】
電源制御部５０は、携帯電話機１が携帯して使用されている場合には、携帯電話機１内の、表示部８及び制御部５７等が実装される回路基板等への電力の供給を制御している。
また、電源制御部５０は充電制御部７４を有しており、この充電制御部７４は、後述する図５の構成を有しており、バッテリ２２への充電・放電制御等を行っている。
【００４１】
照光制御部５５は、表示部８のバックライトの発光量及び入力部１０等に設けられ照光を行っている発光部２７の発光量を制御している。
つまり、照光制御部５５は、制御部５７の指示に従って表示部８のバックライトの発光量及び入力部１０の照光量を制御している。
【００４２】
クロック制御部５９は、制御部５７等を構成するＣＰＵ等の動作周波数を制御している。
具体的には、制御部５７の指示に基づいてＣＰＵ等の動作周波数を増減させる。
【００４３】
アプリケーション機能制御部７５は、ユーザによる操作部５２の操作に応じて、各種のアプリケーション機能を実行する。
具体的には、通話機能、ウエブサイトの閲覧機能、テレビジョン機能、前記第２のアプリケーション機能は、電子メール機能、音楽再生機能である。
【００４４】
制御部５７は、携帯電話機１の全体的な動作を統括的に制御する。
すなわち、制御部５７は、携帯電話機１の各種処理（回線交換網を介して行われる音声通話、電子メールの作成と送受信、インターネットのＷｅｂ上のダウンロードサイトの閲覧など）が操作部５２の操作に応じて適切な手順で実行されるように、上述した各ブロックの動作（無線通信部５１における信号の送受信、表示部８における画像の表示等）を制御する。
【００４５】
本発明の実施態様において制御部５７は、温度センサ５４の温度に応じて、バッテリ２２への充電の停止又は再開を電源制御部５０の充電制御部７４に指示する。
また、制御部５７は、温度センサ５４の温度に応じてクロック制御部５９に動作クロックの低下を指示する。
さらに、制御部５７は、温度センサ５４の温度に応じて照光制御部５５に照光量の低下を指示する。
これらによって、バッテリ２２及び第２筐体３（第１筐体２）の内部温度を一定値以下に制御することができる。
【００４６】
なぜ、バッテリ２２の温度を一定以下に制御する必要あるのか以下に説明する。
バッテリ２２は一定温度以上の状態において、充電を行うと電池の劣化等が生ずる。これを解消するために、ＣＩＡＪによって、リチウムイオン電池であるバッテリ２２の充電方法が勧告されている。
図４は、ＣＩＡＪ（Communications Industries Association of Japan）により勧告されたリチウムイオン電池の充電方式の説明図である。
【００４７】
図４（Ａ）に示すように、ＣＩＡＪ勧告では、二次電池１４の検出温度が第１温度Ｔ１より低い場合には二次電池１４の充電を禁止し、第１温度Ｔ１から第２温度Ｔ２では第１充電電圧Ｖｃ１および第２充電電流Ｉｃ２で充電し、第２温度Ｔ２から第３温度Ｔ３では第１充電電圧Ｖｃ１および第１充電電流Ｉｃ１で充電し、第３温度Ｔ３から第４温度Ｔ４では第２充電電圧Ｖｃ２および第１充電電流Ｉｃ１で充電し、第４温度Ｔ４より高い場合には二次電池１４の充電を禁止する。
図４（Ｂ）は、図４（Ａ）のＣＩＡＪ勧告を図式化したものである。横軸は、二次電池１４の検出温度ＴＢ、左側縦軸は充電電圧Ｖｃ、左縦軸は充電電流Ｉｃである。
図４（Ｂ）に示すように、第１充電電圧Ｖｃ１は、二次電池１４に充電可能な電圧であり、第２充電電圧Ｖｃ２は、第１充電電圧Ｖｃ１より低い電圧である。
また、第１充電電流Ｉｃ１は、二次電池１４に流してもよい充電電流であり、第２充電電流Ｉｃ２は、第１充電電流Ｉｃ１より低い電流である。
図４（Ｂ）において、左下がりのハッチング範囲Ａ１が、ＣＩＡＪで勧告された二次電池１４に充電電圧を印加してもよい範囲である。
また、右下がりのハッチング範囲Ａ２が、ＣＩＡＪで勧告された二次電池１４に充電電流を流してもよい範囲になる。
【００４８】
図５は、電源制御部５０の回路構成の説明図である。
【００４９】
図５の様に、携帯電話機１の内部には、バッテリ２２、温度センサ５４、バッテリ側端子６０、電界効果トランジスタ６１、電力供給線６２、充電制御用トランジスタ６３、筐体側端子６４及びシステム電源ＩＣ６５が実装されている。
また、携帯電話機１の外部に設けられた充電装置７０は、充電装置側端子７１、交流直流変換器７２、交流電源７３から構成されている。
【００５０】
交流電源７３から供給された交流の電力は交流直流変換器７２によって直流に変換される。
そして、直流の電力は充電装置側端子７１を通じて携帯電話機１の筐体側端子６４から携帯電話機１に供給される。
筐体側端子６４から供給された電力は、充電制御用トランジスタ６３によってＯＮ／ＯＦＦされる。
この充電制御用トランジスタ６３のＯＮ／ＯＦＦは、充電制御部７４によって制御される。
具体的には、充電装置７０が携帯電話機１に接続された場合に充電制御用トランジスタ６３をＯＮにして、充電装置７０の電力が電力供給線６２に供給されるように制御している。
そして、充電装置７０が取り外された場合には、充電制御用トランジスタ６３をＯＦＦにする。
【００５１】
電力供給線６２は、システム電源ＩＣ６５に電力を供給するための線である。この線に電力を供給する方法として、充電装置７０から供給する方法と、バッテリ２２から供給する方法とがある。
この充電装置７０又はバッテリ２２の電力が、電力供給線６２に供給される。そして、電力供給線６２に接続されているシステム電源ＩＣ６５に電力が供給される。
【００５２】
システム電源ＩＣ６５は、電力供給線６２によって供給された電力を、携帯電話機１に実装されている各種の電子部品（ＬＣＤ、ＣＰＵ、ＬＥＤ、カメラ部、無線通信部５１等）に必要な電圧等に変換して電力を供給している。
【００５３】
バッテリ２２と電力供給線６２との間には電界効果トランジスタ６１が実装される。
この電界効果トランジスタ６１は、携帯電話機１が充電装置７０と接続されていない場合には電力供給線６２を介してシステム電源ＩＣ６５へバッテリ２２からの電力をするようにＯＮされる。
また、逆に、携帯電話機１が充電装置７０と接続されている場合に、バッテリ２２に十分な電力が蓄電されていないときには、充電装置７０から電力が供給されている電力供給線６２との接続をＯＮにする。
さらに、携帯電話機１が充電装置７０と接続されている場合にバッテリ２２に十分な電力が蓄電されているときには、充電装置７０から電力が供給されている電力供給線６２との接続をＯＦＦにする。
この電界効果トランジスタ６１も充電制御部７４が制御している。
【００５４】
図６は、本発明の実施態様における処理のフローを説明するフローチャートである。
【００５５】
なお、以下において充電装置７０によってバッテリ２２が充電中であることが前提となっている。
ステップＳ０１において、ユーザによって機能選択が行われたか判断している。
なお、機能選択とは、アプリケーションの機能選択である。アプリケーション機能とは、たとえば、通話機能、ウエブサイトの閲覧機能、テレビジョン機能、電子メール機能、音楽再生機能等である。
これらの機能を使用すると、少なくとも、制御部５７を構成するＣＰＵに負荷がかかり、それによって、ＣＰＵ等が発熱してしまう。
このような発熱があると、携帯電話機１の第２筐体３の内部温度が上昇し、その温度が一定の閾値を超えるほどバッテリ２２の温度が上昇すると、バッテリ２２に不適切な負荷がかかってしまうおそれがある。
また、バッテリ２２の温度が一定の閾値を超えるほど上昇しているにもかかわらず、そのまま充電を続けると、図４のＣＩＡＪの勧告を達成できなくなってしまう。
そこで、後述する各種の処理を行う必要が生じている。
ステップＳ０１において、ユーザによって機能選択が行われていない場合には、そのまま処理は終了する。
一方、ユーザによって機能選択が行われている場合には、ステップＳ０２の処理に移行する。
【００５６】
ステップＳ０２において、温度センサ５４はバッテリ２２の温度を検出している。
なお、バッテリ２２が取り外されている場合にはバッテリ２２ではなく、第２筐体３の内部温度を検出することになる。
【００５７】
ステップＳ０３において、温度が第１の閾値以上であるか判定している。
この第１の閾値は、図４におけるＴ３の温度であってもよいし、その他の温度（たとば、Ｔ２、Ｔ４、その中間値等）であってもよい。
第１の閾値の温度は選択された機能に応じて可変に設定することもできる。
また、第１の閾値の温度は任意に設定することができる。
このステップＳ０３において、温度センサ５４が検出した温度が第１の閾値以上である場合には、ステップＳ０４の処理に移行する。
一方、温度センサ５４が検出した温度が第１の閾値以下である場合には、ステップＳ０４の処理をとばしてステップＳ０５の処理に移行する。
【００５８】
もっとも、ステップＳ０３において、温度センサ５４の温度が第１の閾値以上である場合に、必ずステップＳ０４の処理に移行する必要はない。
たとえば、ステップＳ０１において選択されたアプリケーションの機能が、電子メール機能、音楽再生機能等である場合には、ＣＰＵへの負荷が少なく、これを実行したからと言って第２筐体３（第１筐体２）の内部の温度上昇はほとんど生じない。
そこで、ステップＳ０１において選択されたアプリケーションの機能が、電子メール機能、音楽再生機能等である場合には、たとえ温度センサ５４によって検出された温度が第１の閾値以上であってもステップＳ０５の処理に移行する。
一方、ステップＳ０１において選択されたアプリケーションの機能が、通話機能、ウエブサイトの閲覧機能、テレビジョン機能等である場合には、ＣＰＵへの負荷が大きく、これを実行したときには、第２筐体３（第１筐体２）の内部の温度上昇が生じてしまう。
したがって、ステップＳ０１において選択されたアプリケーションの機能が、通話機能、ウエブサイトの閲覧機能、テレビジョン機能等である場合には、本来の処理のとおりに、温度センサ５４によって検出された温度が第１の閾値以上であれば、ステップＳ０５の処理に移行する。
【００５９】
ステップＳ０４において、バッテリ２２への充電を停止する。具体的には、図５の電界効果トランジスタ６１をＯＦＦして、これ以上充電が行われないようにする。
これによって、バッテリ２２へは電力が供給されないのであるから、バッテリ２２の充電による、バッテリ２２及び第２筐体３のこれ以上の温度上昇を防ぐことができる。
また、高温でのバッテリ２２への充電が行われないのであるから、バッテリ２２の劣化等の不都合が解消され、さらに携帯電話機１の安全性の向上が図られる。
【００６０】
以上の本発明の実施態様では、バッテリ２２及び第２筐体３の温度上昇を防ぐための手段は、バッテリ２２への充電の停止のみであった。
しかし、バッテリ２２及び第２筐体３の温度を上昇させる要因は、バッテリ２２への充電だけではない。
具体的には、ＣＰＵに負荷がかかることによるＣＰＵの発熱、表示部８を構成するＬＣＤ等のバックライトの発熱及び入力部１０のキーを照光する発光部２７の発熱等も、バッテリ２２及び第２筐体３の温度を上昇させる要因となっている。
そこで、これらに着目して、これらの部分よる発熱を低減する第１の変形及び第２の変形例を記載する。
【００６１】
＜第１の変形例＞
図７は、第１の変形例における処理のフローを説明するフローチャートである。
【００６２】
図６の本発明の実施態様と同一の部分における説明は省略する。
ステップＳ０６において、バッテリ２２の温度が第２の閾値以上であるかを判定する。
そして、温度センサ５４が検出した温度が第２の閾値以上である場合には、ステップＳ０７の処理に移行する。
一方、温度センサ５４が検出した温度が第２の閾値以下である場合には、ステップＳ０７の処理をとばしてステップＳ０５の処理に移行する。
ここで、バッテリ２２の温度が第２の閾値以上であるということは、バッテリ２２への充電停止（ステップＳ０４の処理）では不十分なほどバッテリ２２又は第２筐体３の内部温度が上昇していることを意味する。
この温度を低下させる為に、さらに、ステップＳ０７のＣＰＵの動作クロックを低下させる処理を行う必要があるからである。
なお、第１の閾値＜第２の閾値の関係を有していれば、第１の閾値及び第２の閾値はＣＩＡＪの勧告を満足する範囲で任意に選択することができる。
【００６３】
ステップＳ０７において、制御部５７はクロック制御部５９にＣＰＵの動作クロックを低下させる。
これによって、ＣＰＵからの発熱を低下させることができる。
【００６４】
＜第２の変形例＞
図８は、第２の変形例における処理のフローを説明するフローチャートである。
【００６５】
図６の本発明の実施態様及び図７の第１の変形例と同一の部分における説明は省略する。
ステップＳ０８において、バッテリ２２の温度が第３の閾値以上であるかを判定する。
そして、温度センサ５４が検出した温度が第３の閾値以上である場合には、ステップＳ０９の処理に移行する。
一方、温度センサ５４が検出した温度が第３の閾値以下である場合には、ステップＳ０７の処理をとばしてステップＳ０５の処理に移行する。
ここで、バッテリ２２の温度が第３の閾値以上であるということは、バッテリ２２への充電停止（ステップＳ０４の処理）及びＣＰＵの動作クロックの低下（ステップＳ０７の処理）では不十分なほどバッテリ２２又は第２筐体３の内部温度が上昇していることを意味する。
この温度を低下させる為に、さらに、ステップＳ０９の照光レベルを低下させる必要があるからである。
なお、第１の閾値＜第２の閾値＜第３の閾値の関係を有していれば、第１の閾値、第２の閾値及び第３の閾値はＣＩＡＪの勧告を満足する範囲で任意に選択することができる。
【００６６】
ステップＳ０９において、制御部５７は照光制御部５５に表示部８を構成するＬＣＤ等のバックライトの照光光量を低下させる。さらに、制御部５７は照光制御部５５に入力部１０のキーを照光する発光部２７の発光レベルを低下させる。
これによって、照光による発熱を低下させることができる。
【００６７】
なお、図８では、図７で示したＣＰＵの動作クロックを低下させる方法に加えて照光レベルを低下させることとしたが、ＣＰＵの動作クロックを低下させる方法を除いて、単に図６の方法に照光レベルを低下させる方法を用いることもできる。
さらに、図８の様にＣＰＵの動作クロックを低下させる方法に加えて照光レベルを低下させることとした場合においても、判定順が、第３の閾値以上であるか否かを判定した後に第２の閾値を判定する順序であってもよい。なお、この場合には、第１の閾値＜第３の閾値＜第２の閾値の順となる。
【００６８】
なお、上述の例では、バッテリ２２が装着されている場合についてのみ記載してきたが、第２筐体３（第１筐体２）内部の温度上昇があるとＣＰＵの熱暴走や、各種電子部品の劣化等の原因になるため好ましくない。
そこで、バッテリ２２が取り外されている場合についても同様の処理を行うことができる。
これによって、ＣＰＵの熱暴走や、各種電子部品の劣化等を防ぐことができる。
【００６９】
さらに、表示部８や操作部５２の使用状況に応じて、充電制御を制御する。
つまり、表示部８において動画の再生が行われている場合には、表示部８のバックライトの照光レベルを低下させることはユーザの視認性に障害を与えるために、できるだけ照光レベルを低下させないことが望ましい。
そこで、そのような場合には表示部８の照光レベルを下げることは、最後の手段として行うように制御する。
同様に、操作部５２に各種入力がある場合には、表示部８を確認しつつ入力を行っている場合が多いであろうから、そのような場合には表示部８の照光レベルを下げることは、最後の手段として行うように制御する。
このようにすることによって、ユーザの操作性の悪化を最小限にしつつ、バッテリ２２、又は第２筐体３の温度上昇を最小限にとどめることが可能となる。
【００７０】
図９は、バッテリの温度が低下した時の処理のフローを説明するフローチャートである。
【００７１】
以上説明してきたフローチャートは、バッテリ２２の温度が上昇し、バッテリ２２への充電を停止、ＣＰＵの作動クロックの低下、照光レベルの低下をする場合について記載してきた。
ここでは、以上の様な各種の処理を行ったこと等によってバッテリ２２の温度が低下した場合の復帰処理について記載する。
なお、ここで説明する実施形態は図８で説明した第２の変形例に対応するものであるが、図６及び図７に対しても適宜、適用可能である。
【００７２】
ステップＳ２１において、温度センサ５４によってバッテリ２２若しくは第２筐体３内部の温度を検出する。
【００７３】
ステップＳ２２において、温度センサ５４で検出された温度が第３の閾値以下であるか判断する。
そして、第３の閾値以下である場合には、ステップＳ２３の処理に移行する。
一方、第３の閾値以上である場合には、処理を終了する。この場合には、バッテリ２２若しくは第２筐体３の内部温度は十分に下がっていないからである。
【００７４】
ステップＳ２３において、照光レベルを回復させる。
【００７５】
ステップＳ２４において、温度センサ５４で検出された温度が第２の閾値以下であるか判断する。
そして、第２の閾値以下である場合には、ステップＳ２５の処理に移行する。
一方、第２の閾値以上である場合には、処理を終了する。この場合には、バッテリ２２若しくは第２筐体３の内部温度は十分に下がっていないからである。
【００７６】
ステップＳ２５において、ＣＰＵのクロックを回復させる。
【００７７】
ステップＳ２６において、温度センサ５４で検出された温度が第１の閾値以下であるか判断する。
そして、第１の閾値以下である場合には、ステップＳ２７の処理に移行する。
一方、第１の閾値以上である場合には、処理を終了する。この場合には、バッテリ２２若しくは第２筐体３の内部温度は十分に下がっていないからである。
【００７８】
ステップＳ２７において、バッテリ２２の充電を再開させる。
【００７９】
以上の例では、第１の閾値、第２の閾値及び第３の閾値を用いているが、それぞれの温度は、ステップ２２で閾値として用いる温度＞ステップ２４で閾値として用いる温度＞ステップ２６で閾値として用いる温度、との関係があれば任意に選択することができる。
また、この図９で表わされる復帰の処理は、定期的に行われる。
【００８０】
以上の実施形態によれば、本発明の携帯電話機１は、充電装置７０による充電が可能なバッテリ２２と、バッテリ２２の温度を検出する温度センサ５４と、充電装置７０によるバッテリ２２の充電状態を制御可能な充電制御部７４と、を有する。
また、各種のアプリケーションの実行及び停止を制御可能なアプリケーション機能制御部７５と、を有する。
そして、充電制御部７４は、温度センサ５４により検出された温度が第１の閾値以上の場合であり、かつ、アプリケーション機能制御部７５により第１のアプリケーションが選択されたときには、バッテリ２２への充電を停止する。
さらに、温度センサ５４により検出された温度が第１の閾値未満の場合であり、かつ、アプリケーション機能制御部７５により第１のアプリケーションが選択されたときには、バッテリ２２への充電を継続する。
このような構成とすることによって、バッテリ２２へは電力が供給されないのであるから、これ以上、バッテリ２２の充電が原因のバッテリ２２及び第２筐体３の温度上昇を防ぐことができる。
また、高温におけるバッテリ２２の充電が行われないのであるから、バッテリ２２の劣化等の不都合が解消される。
このことは、携帯電話機１の安全性の向上が図られることを意味する。
【００８１】
また、充電制御部７４は、温度センサ５４により検出された温度が第１の閾値以上の場合であり、かつ、アプリケーション機能制御部７５により第２のアプリケーションが選択されたときには、バッテリ２２への充電を継続する。
このように構成することによって、負荷上昇による温度上昇がそれほどでもないアプリケーション機能を実行する場合においては、たとえ第１の閾値を超えていても充電を継続することができる。
【００８２】
選択された前記アプリケーションに応じた画像情報を表示可能な表示部８と、無線通信が可能な無線通信部５１と、を有し、前記第１のアプリケーション機能は、通話機能、ウエブサイトの閲覧機能、テレビジョン機能のいずれかであり、前記第２のアプリケーション機能は、電子メール機能、音楽再生機能のいずれかである。
この様な構成とすることによって、負荷上昇による温度上昇がそれほどでもないアプリケーション機能を実行する場合においては、たとえ第１の閾値を超えていても充電を継続することができる。
【００８３】
また、制御部５７は、温度センサ５４が検出した温度が前記第１の閾値よりも高い第２の閾値以上である場合には、動作クロックを低くするようにクロック制御を行う。
このように構成することによって、ＣＰＵからの発熱を低下させることができる。
【００８４】
また、制御部５７は、温度センサ５４が検出した温度が前記第１の閾値よりも高い第３の閾値以上である場合には、表示部８及び操作部５２の照光レベルを下げる照光制御を行う。
このように構成することによって、照光による発熱を低下させることができる。
【００８５】
また、バッテリ２２が装着されていない場合には、温度センサ５４は筐体内の温度を検出する。
これによって、ＣＰＵの熱暴走や、各種電子部品の劣化等を防ぐことができる。
【００８６】
また、表示部８及び操作部５２の使用状況に応じて、充電制御を制御する。
このようにすることによって、ユーザの操作性の悪化を最小限にしつつ、バッテリ２２、又は第２筐体３の温度上昇を最小限にとどめることが可能となる。
【００８７】
負荷がかかる機能とは、たとえば、動画再生、カメラ部による動画又は静止画の撮影、電話通話、電子メール機能の立ち上げ、インターネット閲覧、データのダウンロード等である。
【００８８】
本発明は、以上の実施形態に限定されず、種々の態様で実施されてよい。
【００８９】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００９０】
１…携帯電話機、２…第１筐体、３…第２筐体、４…第１筐体フロントケース、５…第１筐体リアケース、６…第２筐体フロントケース、７…第２筐体リアケース、８…表示部、９…ヒンジ部、１０…入力部、１１…右側面、１２…左側面、２０…内部筐体、２１…プリント基板、２２…バッテリ、２３…バッテリカバー、２４…メタルドーム、２５…固定接点、２６…スイッチ、２７…発光部、２８…バッテリ収納部、３０…キートップ、３１…ラバーベース、３２…キーシート、３３…導光シート、３４…装飾シート、３５…キー開口部、５０…電源制御部、５１…無線通信部、５２…操作部、５３…音声入出力部、５４…温度センサ、５５…照光制御部、５６…記憶部、５７…制御部、５９…クロック制御部、６０…バッテリ側端子、６１…電界効果トランジスタ、６２…電力供給線、６３…充電制御用トランジスタ、６４…筐体側端子、６５…システム電源ＩＣ、７０…充電装置、７１…充電装置側端子、７２…交流直流変換器、７３…交流電源、７４…充電制御部、７５…アプリケーション機能制御部、７６…テレビジョン受信部、７７…音楽再生部
【図１】
0005401212.tif 000002
【図２】
0005401212.tif 000003
【図３】
0005401212.tif 000004
【図４】
0005401212.tif 000005
【図５】
0005401212.tif 000006
【図６】
0005401212.tif 000007
【図７】
0005401212.tif 000008
【図８】
0005401212.tif 000009
【図９】
0005401212.tif 000010